(57)【要約】【課題】横倒しになったときにも試薬容器の破損を防止することが可能な試薬容器用梱包箱を提供する。【解決手段】この梱包箱１（試薬容器用梱包箱）は、複数の試薬容器１０を横並びに収容する外箱２と、外箱２の内底面２ｇと複数の試薬容器１０の下面１０ｆとの間に設けられた緩衝部材３とを備え、緩衝部材３は、試薬容器１０の下面１０ｆを外箱２の内底面２ｇから離間して配置させる下面支持部３１と、試薬容器１０側に突出するとともに隣接する複数の試薬容器１０の間に配置された側面支持部３２とを含み、下面支持部３１と側面支持部３２とは一体的に構成され、緩衝部材３が外箱２内に収納された状態において下面支持部３１は外箱２内での動きが規制されて外箱２内に配置される。【選択図】図２
2012224350.tif 000002
【特許請求の範囲】
【請求項１】
複数の試薬容器を収容するための試薬容器用梱包箱であって、
前記複数の試薬容器を横並びに収容する外箱と、
前記外箱の内底面と前記複数の試薬容器の下面との間に設けられた第１緩衝部とを備え、
前記第１緩衝部は、前記試薬容器の下面を前記外箱の内底面から離間して配置させる下面支持部と、前記試薬容器側に突出するとともに隣接する前記複数の試薬容器の間に配置された側面支持部とを含み、前記下面支持部と前記側面支持部とは一体的に構成され、前記第１緩衝部が前記外箱内に収納された状態において前記下面支持部は前記外箱内での動きが規制されて前記外箱内に配置される、試薬容器用梱包箱。
【請求項２】
前記外箱の上面と前記試薬容器の上面との間に配置され、前記試薬容器の上面を前記外箱の上面から離間して配置させる第２緩衝部をさらに備える、請求項１に記載の試薬容器用梱包箱。
【請求項３】
前記側面支持部は、隣接する前記複数の試薬容器の間で、一の試薬容器の側面と対向する第１部材と、他の試薬容器の側面と対向する第２部材とを有し、
前記第１部材と前記第２部材とは、一体的に形成されている、請求項１または２に記載の試薬容器用梱包箱。
【請求項４】
前記側面支持部は、板状部材が山折りされて形成され、
前記第１部材と前記第２部材とは、山折りされた前記板状部材の一方側部分と他方側部分とからなる、請求項３に記載の試薬容器用梱包箱。
【請求項５】
前記下面支持部は、段ボール素材を所定厚みに積層することにより構成されている、請求項１〜４のいずれか１項に記載の試薬容器用梱包箱。
【請求項６】
前記側面支持部は、前記外箱内に配置された状態で前記試薬容器の試薬情報表示領域に接触しない程度の高さである、請求項１〜５のいずれか１項に記載の試薬容器用梱包箱。
【請求項７】
前記第２緩衝部は、前記試薬容器の上面から上方に突出するキャップ部が前記第２緩衝部および前記外箱の内側上面と接触するのを抑制するための第１逃がし部を含む、請求項２に記載の試薬容器用梱包箱。
【請求項８】
前記第２緩衝部は、前記試薬容器の上方に突出する取手部を逃がすための第２逃がし部を含む、請求項２または７に記載の試薬容器用梱包箱。
【請求項９】
前記外箱は、側面から上側に延びる側面延長部を有し、
前記第２緩衝部は、前記外箱の側面延長部を複数回折り曲げることにより、前記外箱に一体的に形成されている、請求項７または８に記載の試薬容器用梱包箱。
【請求項１０】
前記第２緩衝部は、前記外箱の上下方向の衝撃を支えるための上面支持部を含む、請求項９に記載の試薬容器用梱包箱。
【請求項１１】
前記第２緩衝部は、前記下面支持部および前記側面支持部が前記外箱の内側上面と前記試薬容器の上面との間に配置されることにより、前記第１緩衝部と共用可能に構成されている、請求項７または８に記載の試薬容器用梱包箱。
【発明の詳細な説明】
【技術分野】
【０００１】
本発明は、試薬容器を収容するための試薬容器用梱包箱に関する。
【背景技術】
【０００２】
従来、液体を収容する容器を複数収容する梱包箱が知られている（たとえば、特許文献１参照）。
【０００３】
上記特許文献１には、飲料などの紙製容器を複数収容して輸送するための段ボール製の梱包箱が開示されている。梱包箱は、複数の容器の間に仕切り板を挿入した状態で容器を収容している。この仕切り板は、輸送中の振動などに起因して各容器に加わる衝撃を吸収するように機能していると考えられる。
【先行技術文献】
【特許文献】
【０００４】
【特許文献１】特開平１１−２２２２２９号公報
【発明の概要】
【発明が解決しようとする課題】
【０００５】
試薬容器は、内部に薬品を収容しているため、輸送時の試薬容器の破損などによる液漏れを抑制し安全に輸送することが強く望まれる。そのために、梱包箱を使用することが考えられるが、試薬容器の破損など内部に収容された試薬容器に対する悪影響が発生しないようにする必要がある。上記特許文献１に記載のような梱包箱は、梱包箱が横倒しになると、内部の容器が上下に重なり、上側の容器の重みの全てが下側の容器にかかってしまい、下側の容器が破損するおそれがあるという問題点がある。
【０００６】
この発明は、上記のような課題を解決するためになされたものであり、この発明の１つの目的は、横倒しになったときにも試薬容器の破損を防止することが可能な試薬容器用梱包箱を提供することである。
【課題を解決するための手段および発明の効果】
【０００７】
上記目的を達成するために、この発明の一の局面における試薬容器用梱包箱は、複数の試薬容器を収容するための試薬容器用梱包箱であって、複数の試薬容器を横並びに収容する外箱と、外箱の内底面と複数の試薬容器の下面との間に設けられた第１緩衝部とを備え、第１緩衝部は、試薬容器の下面を外箱の内底面から離間して配置させる下面支持部と、試薬容器側に突出するとともに隣接する複数の試薬容器の間に配置された側面支持部とを含み、下面支持部と側面支持部とは一体的に構成され、第１緩衝部が外箱内に収納された状態において下面支持部は外箱内での動きが規制されて外箱内に配置される。
【０００８】
この発明の一の局面による試薬容器用梱包箱では、上記のように、外箱の内底面と複数の試薬容器の下面との間に設けられた第１緩衝部が、試薬容器の下面を外箱の内底面から離間して配置させる下面支持部と、試薬容器側に突出するとともに隣接する複数の試薬容器の間に配置された側面支持部とを含み、下面支持部と側面支持部とは一体的に構成され、第１緩衝部が外箱内に収納された状態において下面支持部は外箱内での動きが規制されて外箱内に配置されるので、試薬容器用梱包箱が横倒しになったときにも、上側の試薬容器の重みが側面支持部の下面支持部側で受け止められる。これにより、下側の試薬容器にかかる重みを軽減することができ、下側の試薬容器の破損を防止することができる。
【０００９】
上記一の局面による試薬容器用梱包箱において、好ましくは、外箱の上面と試薬容器の上面との間に配置され、試薬容器の上面を外箱の上面から離間して配置させる第２緩衝部をさらに備える。このように構成すれば、第２緩衝部により試薬容器が外箱の上面からも離間して配置されるので、外箱の上面の稜部や角部に衝撃が加わる場合にも、試薬容器に衝撃が直接伝わるのを防止することができる。これにより、試薬容器をさらに安全に輸送することができる。
【００１０】
上記一の局面による試薬容器用梱包箱において、好ましくは、側面支持部は、隣接する複数の試薬容器の間で、一の試薬容器の側面と対向する第１部材と、他の試薬容器の側面と対向する第２部材とを有し、第１部材と第２部材とは、一体的に形成されている。このように構成すれば、隣接する複数の試薬容器の間に第１部材と第２部材とを介在させることができるので、試薬容器の側面側に作用する振動や衝撃の吸収性を向上させることができる。また、第１部材と第２部材とを一体的に形成することによって、部品点数の増加を抑制することができるので、梱包箱の構造の簡素化を図ることができる。
【００１１】
この場合において、好ましくは、側面支持部は、板状部材が山折りされて形成され、第１部材と第２部材とは、山折りされた板状部材の一方側部分と他方側部分とからなる。このように構成すれば、単一の板状部材から、簡単な構造で容易に第１部材と第２部材とを形成することができる。
【００１２】
上記一の局面による試薬容器用梱包箱において、好ましくは、下面支持部は、段ボール素材を所定厚みに積層することにより構成されている。このように構成すれば、簡単な構造で容易に下面支持部を形成することができるとともに、積層された段ボール素材により衝撃吸収性を向上させることができる。
【００１３】
上記一の局面による試薬容器用梱包箱において、好ましくは、第１緩衝部の側面支持部は、外箱内に配置された状態で試薬容器の試薬情報表示領域に接触しない程度の高さとする。このように構成すれば、試薬容器に設けられた試薬情報が側面支持部により損傷を受けることがない。また、部品材料の使用量をさらに削減することができる。
【００１４】
上記第２緩衝部を備える構成において、好ましくは、第２緩衝部は、試薬容器の上面から上方に突出するキャップ部が第２緩衝部および外箱の内側上面と接触するのを抑制するための第１逃がし部を含む。このように構成すれば、構造的に弱くなるキャップ部が第２緩衝部および外箱の内側上面と接触するのが抑制されるので、落下時の衝撃によりキャップ部が損傷を受けるのを抑制することができる。これにより、輸送時の試薬容器の安全性をさらに向上させることができる。
【００１５】
上記第２緩衝部を備える構成において、好ましくは、第２緩衝部は、試薬容器の上方に突出する取手部を逃がすための第２逃がし部を含む。このように構成すれば、取手部を有する試薬容器も容易に梱包することができる。
【００１６】
上記第２緩衝部が第１逃がし部を含む構成において、好ましくは、外箱は、側面から上側に延びる側面延長部を有し、第２緩衝部は、外箱の側面延長部を複数回折り曲げることにより、外箱に一体的に形成されている。このように構成すれば、第２緩衝部を別途設ける必要がないので、その分、部品点数を削減して梱包箱の構造の簡素化を図ることができる。
【００１７】
この場合において、好ましくは、第２緩衝部は、外箱の上下方向の衝撃を支えるための上面支持部を含む。このように構成すれば、第２緩衝部を外箱と一体的に形成した場合にも、上面支持部によって、上下方向の耐衝撃性を高めることができるので、梱包箱の構造の簡素化を図りながら、輸送時の試薬容器の安全性も向上させることができる。
【００１８】
上記第２緩衝部が第１逃がし部を含む構成において、好ましくは、第２緩衝部は、下面支持部および側面支持部が外箱の内側上面と試薬容器の上面との間に配置されることにより、第１緩衝部と共用可能に構成されている。このように構成すれば、第１緩衝部と同様に、上方からの衝撃や、側面方向の振動および衝撃などが試薬容器に直接伝わるのを抑制することが可能な第２緩衝部を設けることができる。また、第１緩衝部と第２緩衝部とを共通化することができるので、部品の種類が増加するのを抑制することができる。このため、少ない種類の部品により、組み立て作業をより簡便かつ効率的に行うことができる。
【図面の簡単な説明】
【００１９】
【図１】本発明の第１実施形態による梱包箱の外観を示した斜視図である。
【図２】図１に示した第１実施形態による梱包箱の分解斜視図である。
【図３】図４の５１０−５１０線に沿った第１実施形態による梱包箱の拡大断面図である。
【図４】図３の５００−５００線に沿った第１実施形態による梱包箱の断面図である。
【図５】図１に示した梱包箱の第１延長部を折り曲げて上面側を閉じた状態を示した斜視図である。
【図６】図５に示した梱包箱の第２延長部を折り曲げて上面側を閉じた状態を示す斜視図である。
【図７】本発明の第２実施形態による梱包箱の分解斜視図である。
【図８】図９の５３０−５３０線に沿った第２実施形態による梱包箱の拡大断面図である。
【図９】図８の５２０−５２０線に沿った第２実施形態による梱包箱の断面図である。
【図１０】図７に示した第２実施形態による梱包箱の取手逃がし部を説明するための図である。
【図１１】図７に示した第２実施形態による梱包箱の梱包手順を説明するための図である。
【図１２】図１３の５５０−５５０線に沿った、本発明の第３実施形態による梱包箱の拡大断面図である。
【図１３】図１２の５４０−５４０線に沿った第３実施形態による梱包箱の断面図である。
【図１４】第３実施形態による梱包箱の緩衝部材を示した斜視図である。
【発明を実施するための形態】
【００２０】
以下、本発明を具体化した実施形態を図面に基づいて説明する。
【００２１】
（第１実施形態）
まず、図１〜図６を参照して、本発明の第１実施形態による梱包箱１の全体構成について説明する。第１実施形態では、試薬容器用梱包箱の一例である梱包箱１に本発明を適用した場合について説明する。
【００２２】
第１実施形態による梱包箱１は、図１および図２に示すように、外箱２と、緩衝部材３とを備えている。この梱包箱１は、正四角柱状の六面体形状を有する試薬容器１０を２本並べて収容可能に構成されている。なお、緩衝部材３は、本発明における「第１緩衝部」の一例である。
【００２３】
図２に示すように、試薬容器１０は、検体分析のために使用される試薬（たとえば、溶血剤や希釈液など）を収容している。試薬容器１０は、ポリエチレン、紙およびバリアフィルムなどが積層された紙状の複合材により形成されている。試薬容器１０は、幅および奥行きＬ１、高さＨ１を有し、たとえば１．５リットルの試薬を収容する。試薬容器１０の上面１０ａには、中心から前面１０ｂ側（Ｙ２方向側）に外れた位置に取出口１１が設けられている。取出口１１は、上面１０ａから上方（Ｚ１方向）に突出するように形成され、開閉用のキャップ１２が取り付けられている。各側面（前面１０ｂ、側面１０ｃ、側面１０ｄおよび背面１０ｅ）には、収容する試薬の種類、製品名など、各種の印字（図示省略）が付されている。なお、キャップ１２は、本発明における「キャップ部」の一例である。
【００２４】
外箱２は、波状の紙材を表裏の紙材により挟むように接着して形成された段ボール製である。外箱２は、試薬容器１０を長手方向（Ｘ方向）に２本並べて収容可能な横長の六面体形状を有する。外箱２は、上面２ａ（図１参照）と、前面２ｂと、側面２ｃおよび２ｄと、背面２ｅと、下面２ｆとを有する。
【００２５】
図３に示すように、外箱２は、外箱２の上面２ａと試薬容器１０の上面１０ａとの間に配置された上側緩衝部２０を一体的に含んでいる。上側緩衝部２０は、試薬容器１０の上面１０ａを外箱２の上面２ａから上下方向（Ｚ方向）に離間して配置させるように構成されている。図２に示すように、上側緩衝部２０は、前面２ｂから上方に延びる第１延長部２０ａと、背面２ｅから上方に延びる第２延長部２０ｂとがそれぞれ折り曲げられることにより、形成されている。なお、上側緩衝部２０は、本発明の「第２緩衝部」の一例である。また、第１延長部２０ａおよび第２延長部２０ｂは、本発明の「側面延長部」の一例である。
【００２６】
図３に示すように、第１延長部２０ａは、前面２ｂに連続するＹ１方向の第１部分２１と、第１部分２１に連続する下方向（Ｚ２方向）の第２部分２２と、第２部分２２に連続するＹ１方向の第３部分２３と、第３部分２３から上方に延びる第４部分２４とを一体的に含んでいる。図２に示すように、第１延長部２０ａには、長手方向（Ｘ方向）に沿って延びる３つの折曲部２１ａ、２２ａおよび２３ａが設けられている。これらの折曲部２１ａ、２２ａおよび２３ａをそれぞれ、内折り、外折り、外折りすることによって、第２部分２２〜第４部分２４（図３参照）が形成されている。したがって、図５に示すように、第１延長部２０ａは、第２部分２２〜第４部分２４が外箱２の内部に凹状に嵌り込みながら上面側を塞ぐように設けられている。
【００２７】
図３に示すように、第２延長部２０ｂは、背面２ｅに連続するＹ２方向の第５部分２５と、第５部分２５に連続する下方向の第６部分２６とを一体的に含んでいる。図２に示すように、第２延長部２０ｂには、長手方向（Ｘ方向）に沿って延びる折曲部２５ａが設けられている。この折曲部２５ａが内折りされ、第２部分２２〜第４部分２４によって構成される凹部に第６部分２６が差し込まれている。これにより、図３に示すように、第５部分２５と第１部分２１とが、折曲部２５ａと折曲部２１ａとでＹ方向に当接するように構成されている。
【００２８】
これらの第１延長部２０ａと、第２延長部２０ｂとによって、上側緩衝部２０は、第２部分２２、第３部分２３および第４部分２４と、第５部分２５および第６部分２６とからなる断面矩形状の中空梁状構造を有する上面支持部２０ｃを含んでいる。上面支持部２０ｃは、外箱２に加わる上下方向の衝撃を支える機能を有する。すなわち、上下方向の衝撃によって試薬容器１０が外箱２内で上方に移動する場合にも、第３部分２３が試薬容器１０の上面１０ａを押さえ、上下方向の第２部分２２、第４部分２４および第６部分２６が衝撃を受け止める。
【００２９】
なお、前面２ｂと背面２ｅとをそれぞれ延長させた第１延長部２０ａ（図２参照）と第２延長部２０ｂ（図２参照）とにより上面支持部２０ｃが構成されるため、上面支持部２０ｃは外箱２の内部で長手方向（Ｘ方向）の全幅にわたって延びている。このため、上面支持部２０ｃは長手方向の衝撃に対する支持部も兼ねている。また、Ｙ１方向の第１部分２１とＹ２方向の第５部分２５とがＹ方向に当接することにより、短手方向（Ｙ方向）の衝撃に対する支持部が構成されている。
【００３０】
さらに、上側緩衝部２０は、第３部分２３に対して上方に突出する第１部分２１および第２部分２２により、試薬容器１０から上方に突出するキャップ１２（取出口１１）を逃がすためのキャップ逃がし部２０ｄを含んでいる。第１部分２１は、試薬容器１０の前面１０ｂからキャップ１２の背面１０ｅ側端部までの距離Ｄ１よりも大きい長さＬ２を有する。第２部分２２は、キャップ１２の上面１０ａからの突出高さＨ２よりも大きい長さＬ３を有する。これにより、キャップ１２は、上側緩衝部２０（第１部分２１および第２部分２２）とは接触しないように構成されている。ただし、梱包箱１の落下時などには第１部分２１がキャップ１２の上面１０ａからの飛び出しを押さえ込む機能を果たすように、突出高さＨ２と第２部分２２の長さＬ３との差は、ごく小さくなるように設定されている。なお、キャップ逃がし部２０ｄは、本発明の「第１逃がし部」の一例である。
【００３１】
また、図２に示すように、外箱２の側面２ｃおよび側面２ｄからも、それぞれ、上方に延びる延長部２７および２８が一体的に設けられている。図１に示すように、延長部２７および２８がそれぞれ側面２ｃおよび側面２ｄの上端部で折り曲げられることにより、延長部２７および２８は、第１延長部２０ａおよび第２延長部２０ｂを覆う外箱２の上面を構成している。延長部２７および２８は、それぞれ接着部２７ａおよび２８ａでホットメルトにより第１延長部２０ａおよび第２延長部２０ｂの上面と接着されて、固定されている。延長部２７および２８の先端部２７ｂおよび２８ｂは、接着されずに、開梱時のつまみ（把持部）として機能する。
【００３２】
図３および図４に示すように、緩衝部材３は、外箱２の内底面２ｇと２つの試薬容器１０の下面１０ｆとの間に設けられている。緩衝部材３は、外箱２と同じ段ボール素材からなる。緩衝部材３は、図２に示すように、一対のブロック状の下面支持部３１と、試薬容器１０が配置される上方に突出する側面支持部３２とを一体的に含んでいる。
【００３３】
下面支持部３１は、試薬容器１０に対応した矩形状の板状形状を有する。このため、緩衝部材３を外箱２内に収納した場合に、下面支持部３１の外箱２内での動きが規制され外箱２内で安定配置されることになる。下面支持部３１は、同一形状の段ボール板を所定厚みｔ１になるまで積層させることにより、形成されている。第１実施形態では、下面支持部３１は、６枚の段ボール板を積層させ、接着剤を用いて互いに固定させている。これにより、下面支持部３１は、試薬容器１０の下面１０ｆ（図３参照）を外箱２の内底面２ｇから離間して配置させるように構成されている。
【００３４】
図４に示すように、側面支持部３２は、Ｘ方向に隣接する２つの試薬容器１０の間に配置され、試薬容器１０の下側部分に対応する領域に設けられている。側面支持部３２は、一対の下面支持部３１の上面に張り合わされた１枚の段ボール板３２ａからなる。つまり、緩衝部材３は、合計７層（６層の下面支持部３１＋１層の側面支持部３２の段ボール板３２ａ）の段ボール板からなる。なお、段ボール板３２ａは、本発明の「板状部材」の一例である。
【００３５】
側面支持部３２は、Ｘ１方向側の試薬容器１０の側面１０ｃと対向する左側部分３３と、Ｘ２方向側の試薬容器１０の側面１０ｄと対向する右側部分３４とを一体的に含んでいる。すなわち、左側部分３３および右側部分３４は、段ボール板３２ａを長手方向の中央部で山折りすることにより、山折りされた段ボール板３２ａのＸ１方向側部分（左側部分３３）およびＸ２方向側部分（右側部分３４）からなる。側面支持部３２は、突出高さＨ３を有する。ここで、試薬容器１０に収容される試薬について、関係法令上、表示が義務づけられている各種情報がある。このような情報は、側面１０ｃおよび側面１０ｄについては、高さＨｐ以上の試薬情報表示領域に表示されている。側面支持部３２の突出高さＨ３は、高さＨｐよりも小さい。これにより、側面支持部３２は、輸送時に側面支持部３２が試薬容器１０の側面１０ｃおよび１０ｄと接触した場合でも、表示が義務づけられた各種情報の表示を損なうことがないように構成されている。なお、左側部分３３は、本発明の「第１部材」および「一方側部分」の一例である。また、右側部分３４は、本発明における「第２部材」および「他方側部分」の一例である。なお、側面支持部３２の突出高さＨ３は、試薬容器１０の高さＨ１の半分以下である。
【００３６】
次に、図１、図２、図４〜図６を参照して、梱包箱１の梱包手順を説明する。
【００３７】
まず、図２および図４に示すように、外箱２の内底面２ｇ上に緩衝部材３を配置する。次に、緩衝部材３の上面に、２つの試薬容器１０を長手方向（Ｘ方向）に並べて配置する。この際、前面１０ｂが外箱２の前面２ｂ側に配置されるように配置する。
【００３８】
次に、図５に示すように、外箱２の第１延長部２０ａを前面２ｂの上端部で折り曲げ、折曲部２１ａ、２２ａ（図２参照）および２３ａをそれぞれ内折り、外折りおよび外折りすることによって、第１延長部２０ａを外箱２の内面側に嵌め込む。
【００３９】
続いて、図６に示すように、第２延長部２０ｂを背面２ｅの上端部で折り曲げ、折曲部２５ａを内折りするとともに、第１延長部２０ａにより形成された凹部（第２部分２２〜第４部分２４）に第６部分２６を嵌め込む。
【００４０】
最後に、図１に示すように、延長部２７および２８をそれぞれ側面２ｃおよび２ｄの上端部で折り曲げ、ホットメルトにより接着部２７ａおよび２８ａを第１延長部２０ａおよび第２延長部２０ｂの上面に接着する。これにより、２本の試薬容器１０の梱包が完了する。
【００４１】
第１実施形態では、上記のように、試薬容器１０の下面１０ｆを外箱２の内底面２ｇから離間して配置させる下面支持部３１と、試薬容器１０側に突出するとともに隣接する２つの試薬容器１０の間に配置された側面支持部３２とを含む緩衝部材３を設けることによって、試薬容器１０が外箱２内で厚みｔ１だけ嵩上げされるので、落下時に外箱２の下面２ｆの稜部や角部に衝撃が加わる場合でも、試薬容器１０に衝撃が直接伝わるのを防止することができる。また、下面支持部３１が試薬容器１０下に配置された状態で側面支持部３２が試薬容器１０の間に安定して配置されるので、輸送時の振動や転倒時に試薬容器１０の側面１０ｃおよび１０ｄ側に作用する衝撃も、試薬容器１０の間に配置された側面支持部３２によって受け止めて吸収することができ、試薬容器１０に衝撃が直接伝わるのを防止することができる。特に、外箱２が幅の狭い側面２ｃまたは２ｄ側に転倒した場合、下側の試薬容器１０には上側の試薬容器１０からの衝撃も加わるが、側面支持部３２の存在により上側の試薬容器１０の側面（１０ｃまたは１０ｄ）部分を支え、下側の試薬容器１０への衝撃を緩和することが可能となる。これらの結果、衝撃に弱い試薬容器１０を安全に輸送することができる。さらに、外箱２と緩衝部材３とを段ボール素材により形成することによって、環境に配慮した梱包箱１を提供することが可能である。
【００４２】
また、第１実施形態では、上記のように、外箱２の上面２ａと試薬容器１０の上面１０ａとの間に配置され、試薬容器１０の上面１０ａを外箱２の上面２ａから離間して配置させる上側緩衝部２０が設けられている。このように構成することによって、上側緩衝部２０により試薬容器１０が外箱２の上面２ａからも離間して配置されるので、外箱２の上面２ａの稜部や角部に衝撃が加わる場合にも、試薬容器１０に衝撃が直接伝わるのを防止することができる。これにより、試薬容器１０をさらに安全に輸送することができる。また、この場合でも、上側緩衝部２０を外箱２および緩衝部材３と同様に段ボール素材で形成することによって、たとえば発泡スチロールなどの詰め物を用いる場合と比較して、環境への負荷を低減することができる。
【００４３】
また、第１実施形態では、上記のように、側面支持部３２は、隣接する２つの試薬容器１０の間で、Ｘ１方向側の試薬容器１０の側面１０ｃと対向する左側部分３３と、Ｘ２方向側の試薬容器１０の側面１０ｄと対向する右側部分３４とを一体的に含んでいる。このように構成することによって、隣接する試薬容器１０の間に左側部分３３と右側部分３４とを介在させることができるので、試薬容器１０の側面１０ｃおよび１０ｄ側に作用する振動や衝撃の吸収性を向上させることができる。また、左側部分３３と右側部分３４とを一体的に形成することによって、部品点数の増加を抑制することができるので、梱包箱１の構造の簡素化を図ることができる。
【００４４】
また、第１実施形態では、上記のように、側面支持部３２は、段ボール板３２ａが山折りされて形成され、左側部分３３と右側部分３４とは、山折りされた段ボール板３２ａのＸ１方向側部分（左側部分３３）とＸ２方向側部分（右側部分３４）とからなる。このように構成することによって、単一の段ボール板３２ａから、簡単な構造で容易に左側部分３３と右側部分３４とを形成することができる。
【００４５】
また、第１実施形態では、上記のように、下面支持部３１は、段ボール素材を所定厚みｔ１となるように積層することにより構成されている。このように構成することによって、簡単な構造で容易に下面支持部３１を形成することができるとともに、積層した段ボール素材により衝撃吸収性を向上させることができる。
【００４６】
また、第１実施形態では、上記のように、緩衝部材３は、下面支持部３１と側面支持部３２とを一体的に含む。このように構成することによって、部品点数の増加を抑制することができるので、梱包箱１の構造の簡素化を図ることができる。
【００４７】
また、第１実施形態では、上記のように、上側緩衝部２０は、試薬容器１０の上面１０ａから上方に突出するキャップ１２が上側緩衝部２０（すなわち、外箱２の内側上面）と接触するのを抑制するためのキャップ逃がし部２０ｄを含む。このように構成することによって、構造的に弱くなるキャップ１２の部分が外箱２内で上側緩衝部２０（外箱２の内側上面）と接触するのが抑制されるので、特に衝撃に弱いキャップ１２の部分が損傷を受けるのを抑制することができる。これにより、輸送時の試薬容器の安全性をさらに向上させることができる。
【００４８】
また、第１実施形態では、上記のように、外箱２は、側面（前面２ｂおよび背面２ｅ）から上側に延びる第１延長部２０ａおよび第２延長部２０ｂを有し、上側緩衝部２０は、第１延長部２０ａを折曲部２１ａ、２２ａおよび２３ａで複数回折り曲げるとともに、第２延長部２０ｂを折曲部２５ａで折り曲げることにより、外箱２に一体的に形成されている。このように構成することによって、上側緩衝部２０を別途設ける必要がないので、その分、部品点数を削減して梱包箱１の構造の簡素化を図ることができる。
【００４９】
また、第１実施形態では、上記のように、上側緩衝部２０は、外箱２の上下方向の衝撃を支えるための上面支持部２０ｃを含む。このように構成することによって、上側緩衝部２０を外箱２と一体的に形成した場合にも、上面支持部２０ｃによって、上下方向の耐衝撃性を高めることができるので、梱包箱１の構造の簡素化を図りながら、輸送時の試薬容器の安全性も向上させることができる。
【００５０】
（第２実施形態）
次に、図７〜図１１を参照して、本発明の第２実施形態について説明する。この第２実施形態では、上記第１実施形態における試薬容器１０よりも大型で、取手付きの試薬容器１１０を収容する梱包箱１０１の例について説明する。梱包箱１０１は、本発明の「試薬容器用梱包箱」の一例である。
【００５１】
第２実施形態による梱包箱１０１は、図７に示すように、大型の試薬容器１１０をＸ方向に２本並べて収容可能な外箱１０２と、緩衝部材１０３とを備えている。なお、緩衝部材１０３は、本発明における「第１緩衝部」の一例である。
【００５２】
試薬容器１１０は、正四角柱状の六面体形状を有する。試薬容器１１０は、幅および奥行きＬ４、高さＨ４を有し、たとえば４リットルの試薬を収容する。なお、取出口１１１およびキャップ１１２の寸法は上記第１実施形態と同様であり、試薬容器１１０の前面１１０ｂからキャップ１１２の背面１１０ｅ側端部までの距離もＤ１で共通である。なお、キャップ１１２は、本発明の「キャップ部」の一例である。
【００５３】
大型の試薬容器１１０には、取手部１１３が設けられている。取手部１１３は、シート状形状を有し、両端がそれぞれ、試薬容器１１０の側面１１０ｃおよび１１０ｄに接着されている。これにより、取手部１１３は、試薬容器１１０の上面１１０ａを上方に跨ぐアーチ状に形成されている。なお、取手部１１３は、平面的に見て、キャップ１１２とはオーバーラップしないように、前後方向（Ｙ方向）の中央の位置に配置されている。
【００５４】
外箱１０２は、段ボール製である。外箱１０２は、大型の試薬容器１１０をＸ方向に２本収容可能な大きさに形成されている。
【００５５】
図８に示すように、外箱１０２は、外箱１０２の上面１０２ａと試薬容器１１０の上面１１０ａとの間に配置された上側緩衝部１２０を一体的に含んでいる。上側緩衝部１２０の構造は、上記第１実施形態の上側緩衝部２０とほぼ同様である。すなわち、図７に示すように、上側緩衝部１２０は、前面１０２ｂから上方に延びる第１延長部１２０ａと、背面１０２ｅから上方に延びる第２延長部１２０ｂとがそれぞれ折り曲げられることにより、形成されている。なお、上側緩衝部１２０は、本発明の「第２緩衝部」の一例である。また、第１延長部１２０ａおよび第２延長部１２０ｂは、本発明の「側面延長部」の一例である。
【００５６】
第１延長部１２０ａは、第１部分１２１と、第２部分１２２と、第３部分１２３と、第４部分１２４とを一体的に含んでおり、折曲部１２１ａ、１２２ａおよび１２３ａで折り曲げられる。第２延長部１２０ｂは、第５部分１２５と、第６部分１２６とを一体的に含んでおり、折曲部１２５ａで折り曲げられる。図８に示すように、これらの各部によって、上面支持部１２０ｃおよびキャップ逃がし部１２０ｄが構成されている。なお、キャップ逃がし部１２０ｄは、本発明における「第１逃がし部」の一例である。
【００５７】
ここで、図７に示すように、第２実施形態では、第１延長部１２０ａの第３部分１２３には、取手逃がし部１２３ｂが形成されている。取手逃がし部１２３ｂは、第３部分１２３の長手方向（Ｘ方向）の両端部にそれぞれ形成された切り欠きからなる。図１０に示すように、取手逃がし部１２３ｂは、取手部１１３の幅（短手方向の幅）Ｗ２よりも大きい切り欠き幅Ｗ１を有する。取手逃がし部１２３ｂは、試薬容器１１０の収容時に、取手部１１３を上方に逃がすために設けられている。このため、試薬容器１１０の取手部１１３は、取手逃がし部１２３ｂを介して、第２部分１２２〜第４部分１２４によって構成される凹部内（中空梁状の上面支持部１２０ｃの内部）に逃がされる。なお、取手逃がし部１２３ｂは、本発明における「第２逃がし部」の一例である。
【００５８】
また、図７に示すように、第２実施形態では、第２延長部１２０ｂの第６部分１２６は、第５部分１２５の所定位置に矩形状の３辺部分からなる切り込み１２５ｂと、残りの１辺の折曲部１２５ａとにより、略矩形形状に形成されている。第２部分１２２〜第４部分１２４によって構成される凹部に第６部分１２６が差し込まれると、第５部分１２５の先端側部分は、第１部分１２１の上面側に覆い被さる（図１１参照）ように配置される。これにより、梱包箱１０１の開梱時に、第５部分１２５には第６部分１２６に対応する略矩形形状の孔が形成されるため、ユーザがこの孔に手をかけて容易に開梱することが可能である。
【００５９】
緩衝部材１０３は、上記第１実施形態の緩衝部材３と寸法が異なるのみであり、緩衝部材３と同じ構造を有する。すなわち、図７および図９に示すように、緩衝部材１０３は、６枚の段ボール板を積層させて厚みｔ１に形成した一対の下面支持部１３１と、下面支持部１３１の上面に張り合わされた１枚の段ボール板１３２ａからなる側面支持部１３２とを一体的に含んでいる。
【００６０】
第２実施形態による梱包箱１０１のその他の構成は、上記第１実施形態と同様である。
【００６１】
次に、図９〜図１１を参照して、第２実施形態による梱包箱１０１の梱包手順を説明する。
【００６２】
まず、図９に示すように、外箱１０２の内底部に緩衝部材１０３を配置する。次に、緩衝部材１０３の上面に、２つの試薬容器１１０を長手方向に並べて配置する。この際、前面１１０ｂが外箱１０２の前面１０２ｂ側に配置されるように配置する。
【００６３】
次に、図１１に示すように、外箱１０２の第１延長部１２０ａを前面１０２ｂの上端部で折り曲げ、折曲部１２１ａ、１２２ａおよび１２３ａでそれぞれ折り曲げることによって、第１延長部１２０ａを外箱１０２の内面側に嵌め込む。このとき、試薬容器１１０の取手部１１３は第３部分１２３により上面１１０ａ（図８参照）側に押付けられる。アーチ状の取手部１１３の余った部分が、第３部分１２３の両脇の取手逃がし部１２３ｂ（図１０参照）から逃がされる。
【００６４】
続いて、第２延長部１２０ｂを背面１０２ｅの上端部で折り曲げ、折曲部１２５ａを内折りして、第６部分１２６を凹部（第２部分１２２〜第４部分１２４）に嵌め込む。最後に、延長部１２７および１２８をそれぞれ第２延長部１２０ｂ（第５部分１２５）の上面に接着する。これにより、２本の試薬容器１１０の梱包が完了する。
【００６５】
第２実施形態では、上記のように、試薬容器１１０の下面１１０ｆを外箱１０２の内底面１０２ｇから離間して配置させる下面支持部１３１と、試薬容器１１０側に突出するとともに隣接する２つの試薬容器１１０の間に配置された側面支持部１３２とを含む緩衝部材１０３を設けることによって、試薬容器１１０に衝撃が直接伝わるのを防止することができる。また、輸送時の振動や転倒時に試薬容器１１０の側面１１０ｃおよび１１０ｄ側に作用する衝撃も、試薬容器１１０に直接伝わるのを防止することができる。これらの結果、衝撃に弱い試薬容器１１０を安全に輸送することができる。さらに、外箱１０２と緩衝部材１０３とを段ボール素材により形成することによって、樹脂成形容器などを設ける必要がないので、環境に配慮した梱包箱１０１を提供することが可能である。
【００６６】
なお、落下および転倒時の衝撃や輸送時の振動の影響は、試薬容器が大型化し重量が増大するのに伴い大きくなる。このため、本発明は、この第２実施形態による梱包箱１０１のように、大型の試薬容器を収容するための梱包箱に適用した場合に特に有効である。
【００６７】
また、第２実施形態では、上記のように、上側緩衝部１２０は、試薬容器１１０の上方に突出する取手部１１３を逃がすための取手逃がし部１２３ｂを含む。このように構成することによって、取手部１１３を有する試薬容器１１０も容易に梱包することができる。
【００６８】
第２実施形態によるその他の効果は、上記第１実施形態と同様である。
【００６９】
（第３実施形態）
次に、図７、図１０および図１２〜図１４を参照して、本発明の第３実施形態について説明する。この第３実施形態では、上側緩衝部を外箱に一体的に形成した上記第１および第２実施形態とは異なり、上側緩衝部を別部材とし、下側の緩衝部材と共通化した梱包箱２０１の例について説明する。なお、梱包箱２０１は、本発明の「試薬容器用梱包箱」の一例である。
【００７０】
第３実施形態による梱包箱２０１は、図１２および図１３に示すように、大型の試薬容器１１０をＸ方向に２本並べて収容可能な外箱２０２と、２つの緩衝部材２０３とを備えている。なお、この第３実施形態では、上記第２実施形態と同じ試薬容器１１０を収容する梱包箱２０１の例について説明する。
【００７１】
外箱２０２は、段ボール製である。外箱２０２は、幅（奥行き）Ｌ４および高さＨ４（図７参照）を有する大型の試薬容器１１０をＸ方向に２本収容可能な大きさに形成されている。
【００７２】
第３実施形態では、図１２に示すように、外箱２０２の前面２０２ｂから上方に延びる第１延長部２２０ａと、背面２０２ｅから上方に延びる第２延長部２２０ｂとには、折曲部や逃がし部は形成されていない。第１延長部２２０ａと第２延長部２２０ｂとは、それぞれ外箱２０２の奥行きＬ５に対応する長さに形成されており、延長部２２７および２２８（図１３参照）とともに、外箱２０２の上面の蓋をするために形成されている。
【００７３】
一方、第３実施形態では、２つの緩衝部材２０３が、それぞれ、外箱２０２の上面２０２ａと試薬容器１１０の上面１１０ａとの間の位置（試薬容器１１０の上側）と、外箱２０２の内底面２０２ｇと２つの試薬容器１１０の下面１１０ｆとの間の位置（試薬容器１１０の下側）とに設けられている。図１４に示すように、２つの緩衝部材２０３は段ボール製で、同一形状を有し、共通に用いられる。ここでは、説明の便宜上、上側に配置される緩衝部材２０３を２０３ａとし、下側に配置される緩衝部材２０３を２０３ｂとする。なお、上側の緩衝部材２０３ａおよび下側の緩衝部材２０３ｂは、それぞれ、本発明における「第２緩衝部」および「第１緩衝部」の一例である。
【００７４】
緩衝部材２０３は、下面支持部２３１と、側面支持部２３２とを一体的に含んでいる。さらに、第３実施形態では、緩衝部材２０３には、それぞれ切り欠きからなるキャップ逃がし部２３３と、取手逃がし部２３４とが形成されている。
【００７５】
２つの緩衝部材２０３は、それぞれの側面支持部２３２が２つの試薬容器１１０の間に入り込み、上下に対向するように配置されている。なお、下面支持部２３１および側面支持部２３２の構成は、上記第２実施形態と同様である。図１２に示すように、上側に配置される緩衝部材２０３ａは、上記第２実施形態の上側緩衝部１２０と同様に機能する。すなわち、緩衝部材２０３ａの下面支持部２３１が、上下方向の衝撃を支持する上面支持部２２０ｃとして機能する。さらに、図１３に示すように、第３実施形態では、緩衝部材２０３ａと２０３ｂとによって、側面支持部２３２も上下に配置されるので、上下一対の側面支持部２３２により、外箱２０２が転倒した場合に下側の試薬容器１１０に作用する衝撃をより良好に吸収することが可能である。
【００７６】
図１４に示すように、キャップ逃がし部２３３は、緩衝部材２０３が上側の緩衝部材２０３ａとして配置された場合に、試薬容器１１０から上方に突出するキャップ１１２（取出口１１１）を逃がす（図１２参照）ように形成されている。このため、キャップ逃がし部２３３は、２つの試薬容器１１０のキャップ１１２の配置位置に対応して、緩衝部材２０３のＸ方向の両側に１つずつ設けられており、外箱２０２の前面２０２ｂ側（Ｙ２方向側）の位置に配置されるように設けられている。キャップ逃がし部２３３は、試薬容器１１０の前面１１０ｂからキャップ１１２の背面１１０ｅ側端部までの距離Ｄ１（図１２参照）よりも大きい奥行きＬ６を有する。また、キャップ逃がし部２３３は、キャップ１１２の直径Ｄ２（図１３参照）よりも大きい幅Ｗ３を有し、角部が丸みを帯びた略矩形状の切り欠きとなっている。これにより、図１２に示すように、キャップ１１２は、緩衝部材２０３ａおよび外箱２０２の内側上面２０２ｈとは接触しないように構成されている。なお、キャップ逃がし部２３３は、本発明の「第１逃がし部」の一例である。
【００７７】
図１４に示すように、取手逃がし部２３４は、緩衝部材２０３が上側の緩衝部材２０３ａとして配置された場合に、試薬容器１１０から上方に突出する取手部１１３を逃がすように形成されている。このため、取手逃がし部２３４は、２つの試薬容器１１０の取手部１１３（図１３参照）の配置位置に対応して、緩衝部材２０３のＸ方向の両端に１つずつ設けられており、試薬容器１１０の前後方向（Ｙ方向）の中央に配置されるように設けられている。図１２に示すように、取手逃がし部２３４は、取手部１１３の幅（短手方向の幅）Ｗ２よりも大きい切り欠き幅Ｗ４を有する。これにより、図１０に示した第２実施形態の取手逃がし部１２３ｂと同じように、取手部１１３は、長手方向（Ｘ方向）の両端部で取手逃がし部２３４内に逃がされる。なお、取手逃がし部２３４は、本発明の「第２逃がし部」の一例である。
【００７８】
第３実施形態による梱包箱２０１のその他の構成は、上記第２実施形態と同様である。
【００７９】
次に、図１２および図１３を参照して、第３実施形態による梱包箱２０１の梱包手順を説明する。
【００８０】
まず、図１３に示すように、外箱２０２の内底部に緩衝部材２０３（２０３ｂ）を配置する。次に、緩衝部材２０３ｂの上面に、２つの試薬容器１１０を長手方向に並べて配置する。この際、前面１１０ｂが外箱２０２の前面２０２ｂ側に位置するように配置する。
【００８１】
次に、試薬容器１１０の上面１１０ａ側に緩衝部材２０３（２０３ａ）を配置する。この際、キャップ逃がし部２３３が前面２０２ｂ側に位置する向きに緩衝部材２０３を合わせ、側面支持部２３２を２つの試薬容器１１０間に差し込むようにして緩衝部材２０３（２０３ａ）を配置する。また、試薬容器１１０の取手部１１３の余った部分が、緩衝部材２０３ａの両脇の取手逃がし部２３４（図１４参照）内に逃がされる。
【００８２】
続いて、図１２に示すように、延長部２２７および２２８（図１３参照）をそれぞれ側面２０２ｃおよび２０２ｄの上端部で折り曲げ、緩衝部材２０３ａの上側の蓋をする。さらに、第１延長部２２０ａと第２延長部２２０ｂとをそれぞれ前面２０２ｂの上端部と背面２０２ｅの上端部とで折り曲げ、接着する。これにより、２本の試薬容器１１０の梱包が完了する。
【００８３】
第３実施形態では、上記のように、試薬容器１１０の下面１１０ｆを外箱２０２の内底面２０２ｇから離間して配置させる下面支持部２３１と、試薬容器１１０側に突出するとともに隣接する２つの試薬容器１１０の間に配置された側面支持部２３２とを含む緩衝部材２０３（２０３ｂ）を設けることによって、試薬容器１１０に衝撃が直接伝わるのを防止することができる。また、輸送時の振動や転倒時に試薬容器１１０の側面１１０ｃおよび１１０ｄ側に作用する衝撃も、試薬容器１１０に直接伝わるのを防止することができる。これらの結果、衝撃に弱い試薬容器１１０を安全に輸送することができる。さらに、外箱２０２と緩衝部材２０３とを段ボール素材により形成することによって、樹脂成形容器などを設ける必要がないので、環境に配慮した梱包箱２０１を提供することが可能である。
【００８４】
また、第３実施形態では、上記のように、下面支持部２３１および側面支持部２３２を一体的に含む緩衝部材２０３（２０３ａ）が外箱２０２の内側上面２０２ｈと試薬容器１１０の上面１１０ａとの間に配置されることにより、下側の緩衝部材２０３ｂと上側の緩衝部材２０３ａとが共用可能に構成されている。このように構成することによって、下側の緩衝部材２０３ｂと同様に、上方からの衝撃や、側面方向の振動および衝撃などが試薬容器１１０に直接伝わるのを抑制することが可能な上側の緩衝部材２０３ａを設けることができる。この場合でも、下側の緩衝部材２０３ｂと上側の緩衝部材２０３ａとを共通化することができるので、部品の種類が増加するのを抑制することができる。このため、少ない種類の部品により、組み立て作業をより簡便かつ効率的に行うことができる。
【００８５】
第３実施形態によるその他の効果は、上記第２実施形態と同様である。
【００８６】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８７】
たとえば、上記第１〜第３実施形態では、２本の試薬容器を収容する梱包箱の例を示したが、本発明はこれに限られない。３本以上の試薬容器を収容するように構成してもよい。
【００８８】
また、上記第１〜第３実施形態では、ポリエチレン、紙およびバリアフィルムなどが積層された複合材により形成された試薬容器（いわゆる紙パック容器）を収容する梱包箱の例を示したが、本発明はこれに限られない。本発明では、いわゆるポリ容器のような樹脂成形試薬容器や、樹脂製の袋状試薬容器を収容する梱包箱に適用してもよい。
【００８９】
また、上記第１〜第３実施形態では、下側の緩衝部材（３、１０３、２０３ｂ）と、上側緩衝部（２０、１２０）または上側の緩衝部材（２０３ａ）とを設けた例を示したが、本発明はこれに限られない。本発明では、下側の緩衝部材だけを設けてもよい。
【００９０】
また、上記第１〜第３実施形態では、下側の緩衝部材（３、１０３、２０３ｂ）を、外箱とは別部材で設けた例を示したが、本発明はこれに限られない。本発明では、たとえば上記第１または第２実施形態の上側緩衝部のように、下側の緩衝部材を外箱と一体的に形成してもよい。
【００９１】
また、上記第１〜第３実施形態では、側面支持部を、段ボール板を中央部分で山折りすることにより、Ｘ１方向側の左側部分と、Ｘ２方向側の右側部分とを一体的に含むように形成した例を示したが、本発明はこれに限られない。本発明では、側面支持部を、複数の部材で形成してもよい。したがって、左側部分と右側部分とを別体で形成してもよい。
【００９２】
また、上記第１〜第３実施形態では、側面支持部の突出高さが試薬容器の側面の印字領域の下限高さよりも小さくなるように構成した例を示したが、本発明はこれに限られない。たとえば、側面支持部の突出高さを試薬容器の高さと略同じとし、側面支持部が試薬容器の側面の略全体を支持するようにしてもよい。
【００９３】
また、上記第１〜第３実施形態では、下面支持部を、６枚の段ボール板を積層させて厚みｔ１となるように形成した例を示したが、本発明はこれに限られない。本発明では、下面支持部は、１〜５枚積層させてもよいし、７枚以上積層させてもよい。また、下面支持部を、上記第１実施形態の上側緩衝部のように折り曲げて、梁状やブロック状などに組上げられた段ボール部材により形成してもよい。
【００９４】
また、上記第１〜第３実施形態では、上側緩衝部（２０、１２０）または上側の緩衝部材（２０３ａ）に、キャップ逃がし部を設けた例を示したが、本発明はこれに限られない。本発明では、キャップ逃がし部を設けなくともよい。キャップ（取出口）が試薬容器の上面から突出しないような試薬容器を収容する場合には、キャップ逃がし部を設ける必要はない。
【００９５】
また、上記第３実施形態では、上側の緩衝部材２０３ａと下側の緩衝部材２０３ｂとに用いる緩衝部材２０３を共通化した例を示したが、本発明はこれに限られない。本発明では、上側の緩衝部材と下側の緩衝部材とを、それぞれ専用の緩衝部材としてもよい。この場合には、下側の緩衝部材にキャップ逃がし部や取手逃がし部を形成する必要がなくなる。
【００９６】
また、上記第１〜第３実施形態で開示した試薬容器はあくまで一例であり、本発明はこれに限られない。本発明では、どのような形状および内容量の試薬容器を収容してもよい。
【符号の説明】
【００９７】
１、１０１、２０１  梱包箱（試薬容器用梱包箱）
２、１０２、２０２  外箱
３、１０３、２０３ｂ  緩衝部材（第１緩衝部）
１０、１１０  試薬容器
１２、１１２  キャップ（キャップ部）
２０、１２０  上側緩衝部（第２緩衝部）
２０ａ、１２０ａ  第１延長部（側面延長部）
２０ｂ、１２０ｂ  第２延長部（側面延長部）
２０ｃ、１２０ｃ  上面支持部
２０ｄ、１２０ｄ、２３３  キャップ逃がし部（第１逃がし部）
３１、１３１、２３１  下面支持部
３２、１３２、２３２  側面支持部
３２ａ  段ボール板（板状部材）
３３  左側部分（第１部材、一方側部分）
３４  右側部分（第２部材、他方側部分）
１２３ｂ、２３４  取手逃がし部（第２逃がし部）
２０３ａ  緩衝部材（第２緩衝部）
【図１】
2012224350.tif 000003
【図２】
2012224350.tif 000004
【図３】
2012224350.tif 000005
【図４】
2012224350.tif 000006
【図５】
2012224350.tif 000007
【図６】
2012224350.tif 000008
【図７】
2012224350.tif 000009
【図８】
2012224350.tif 000010
【図９】
2012224350.tif 000011
【図１０】
2012224350.tif 000012
【図１１】
2012224350.tif 000013
【図１２】
2012224350.tif 000014
【図１３】
2012224350.tif 000015
【図１４】
2012224350.tif 000016